(57)【要約】【課題】提供したクーポンに相応の価値に加えてクーポンの提供者が享受することができる価値を、より質の高いものとする。【解決手段】サービスサーバ１０は、クライアント装置２０から、そのユーザに提供されたクーポンを特定するクーポン情報を受信すると、Ｗｉ−Ｆｉサービスのアカウント情報をクライアント装置２０へ送信する（Ｓ３〜Ｓ８）。その後、サービスサーバ１０は、クライアント装置２０からアカウント情報を受信すると、このクライアント装置２０から受信していたクーポン情報に基づいて、クーポン提供者に関連する広告を表す広告データを広告管理データベースから抽出し、このクライアント装置２０へ送信する（Ｓ１０〜Ｓ１３）。クライアント装置２０は、受信した広告データが表す広告を、Ｗｉ−Ｆｉサービスのログイン画面において表示する（Ｓ１４，Ｓ１５）。【選択図】図９
2017174086.tif 000002
【特許請求の範囲】
【請求項１】
ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と
を備えるサーバ装置。
【請求項２】
前記広告データ送信部は、
受信された前記クーポン情報によって前記クーポンの提供者を特定し、特定した当該提供者に関連する広告データを、前記クライアント装置へ送信する
ことを特徴とする請求項１に記載のサーバ装置。
【請求項３】
前記広告データ記憶部は、
前記クーポンの提供者に関連する１以上の広告データの各々に関連付けて、当該クーポンに関連する付加情報を記憶し、
受信された前記クーポン情報によって特定されるクーポンに関連する付加情報を取得し、当該クーポン情報と関連付けられた前記１以上の広告データの中から、当該付加情報と関連付けられた広告データを、送信する対象として決定する広告データ決定部を備え、
前記広告データ送信部は、
決定された前記広告データを、前記クライアント装置へ送信する
ことを特徴とする請求項１又は請求項２に記載のサーバ装置。
【請求項４】
受信された前記クーポン情報によって特定されるクーポンに関連する付加情報を取得し、当該付加情報に基づいて、前記広告データが表す広告の表示の態様を決定する表示態様決定部を備え、
前記広告データ送信部は、
決定された前記表示の態様で広告を表示させるように、前記広告データを前記クライアント装置へ送信する
ことを特徴とする請求項１から請求項３のいずれか１項に記載のサーバ装置。
【請求項５】
前記付加情報は、前記クーポンの属性を示す情報を含む
ことを特徴とする請求項３又は請求項４に記載のサーバ装置。
【請求項６】
前記付加情報は、前記クーポンの提供者によりクーポンが発行された量、又は提供された量の情報を含む
ことを特徴とする請求項３から請求項５のいずれか１項に記載のサーバ装置。
【請求項７】
前記ユーザによる前記広告の利用状況、又は前記サービスの利用状況を特定する特定部と、
特定された前記広告の利用状況、又は前記サービスの利用状況を、前記ユーザに関する前記権限を表す権限情報と関連付けて記憶する権限情報記憶部と
を備え、
前記広告データ送信部は、
前記権限情報記憶部に記憶された前記広告の利用状況、又は前記サービスの利用状況に応じた前記広告データを、前記クライアント装置へ送信する
ことを特徴とする請求項１から請求項６のいずれか１項に記載のサーバ装置。
【請求項８】
ユーザのクライアント装置が所定のサービスを利用するための権限と引き換えられるクーポンを特定するクーポン情報を、請求項１から請求項７のいずれか１項に記載のサーバ装置へ送信するクーポン情報送信部と、
送信された前記クーポン情報と引き換えられた前記権限に従って前記サービスを利用するための制御を行うサービス利用制御部と、
前記サーバ装置から前記広告データを受信する広告データ受信部と、
前記サービスが利用されるときに、受信された前記広告データが表す広告を表示する広告表示部と
を備えるクライアント装置。
【請求項９】
サーバ装置とクライアント装置とを備える情報処理システムであって、
前記サーバ装置は、
前記クライアント装置が所定のサービスを利用するための権限と引き換えられるクーポンを特定するクーポン情報と関連付けて、当該クーポンの提供者に関連する広告を表す広告データを記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と
を有し、
前記クライアント装置は、
前記クーポン情報を前記サーバ装置へ送信するクーポン情報送信部と、
送信された前記クーポン情報と引き換えられた前記権限に従って前記サービスを利用するための制御を行うサービス利用制御部と、
前記サーバ装置から前記広告データを受信する広告データ受信部と、
前記サービスが利用されるときに、受信された前記広告データが表す広告を表示する広告表示部と
を有する情報処理システム。
【請求項１０】
ユーザのクライアント装置のコンピュータに、
前記クライアント装置が所定のサービスを利用するための権限と引き換えられるクーポンを特定するクーポン情報を、請求項１から請求項７のいずれか１項に記載のサーバ装置へ送信するステップと、
送信された前記クーポン情報と引き換えられた前記権限に従って前記サービスを利用するための制御を行うステップと、
前記サーバ装置から前記広告データを受信するステップと、
前記サービスが利用されるときに、受信された前記広告データが表す広告を表示するステップと
を実行させるためのプログラム。
【発明の詳細な説明】
【技術分野】
【０００１】
本発明は、顧客に提供されたクーポンに応じた広告を表示する技術に関する。
【背景技術】
【０００２】
例えば一般消費者を顧客として商品やサービスを提供する企業等では、その商品の購入やそのサービスの利用を促進するために、顧客にクーポンを提供することがある。非特許文献１には、クーポンの提供者である企業等に向けたサービスが開示されている。非特許文献１に開示されたサービスにおいて、クーポンの提供者は、顧客にクーポンを提供する。顧客は、クーポンのクーポンコードを用いて、クーポンの提供者とは別のサービス提供者が提供するＷｉ−Ｆｉ（登録商標）サービスを利用できる。別の技術として、特許文献１には、顧客により携帯端末を用いてクーポンが利用されると、そのクーポンの提供者の広告を、その携帯端末に表示させることが記載されている。
【先行技術文献】
【特許文献】
【０００３】
【特許文献１】特開２００９−２４５０１８号公報
【非特許文献】
【０００４】
【非特許文献１】「法人企業向けdocomo Wi-Fi for visitor」を提供、［online］、［平成２８年３月９日検索］、インターネット（URL: https://www.nttdocomo.co.jp/info/news_release/2015/09/24_01.html）
【発明の概要】
【発明が解決しようとする課題】
【０００５】
非特許文献１に開示されたサービスでは、いわゆるノベルティやキャンペーンの一環として、顧客にＷｉ−Ｆｉサービスを利用させる。よって、クーポンの提供者の立場では、顧客に提供したクーポンに相応の価値を享受することはできるが、それ以上の価値を享受できるとは限らない。特許文献１の技術では、クーポンを利用した商品の購入のため決済が行われたことを条件として、その決済時に、そのクーポンの提供者の広告が表示される。
これに対し、本発明は、提供したクーポンに相応の価値に加えてクーポンの提供者が享受することができる価値を、より質の高いものとすることを目的とする。
【課題を解決するための手段】
【０００６】
上述した課題を解決するため、本発明のサーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部とを備える。
【０００７】
本発明のサーバ装置において、前記広告データ送信部は、受信された前記クーポン情報によって前記クーポンの提供者を特定し、特定した当該提供者に関連する広告データを、前記クライアント装置へ送信してもよい。
【０００８】
本発明のサーバ装置において、前記広告データ記憶部は、前記クーポンの提供者に関連する１以上の広告データの各々に関連付けて、当該クーポンに関連する付加情報を記憶し、受信された前記クーポン情報によって特定されるクーポンに関連する付加情報を取得し、当該クーポン情報と関連付けられた前記１以上の広告データの中から、当該付加情報と関連付けられた広告データを、送信する対象として決定する広告データ決定部を備え、前記広告データ送信部は、決定された前記広告データを、前記クライアント装置へ送信してもよい。
【０００９】
本発明のサーバ装置において、受信された前記クーポン情報によって特定されるクーポンに関連する付加情報を取得し、当該付加情報に基づいて、前記広告データが表す広告の表示の態様を決定する表示態様決定部を備え、前記広告データ送信部は、決定された前記表示の態様で広告を表示させるように、前記広告データを前記クライアント装置へ送信してもよい。
【００１０】
前記付加情報は、前記クーポンの属性を示す情報を含んでもよい。前記付加情報は、前記クーポンの提供者によりクーポンが発行された量、又は提供された量の情報を含んでもよい。
【００１１】
本発明のサーバ装置において、前記ユーザによる前記広告の利用状況、又は前記サービスの利用状況を特定する特定部と、特定された前記広告の利用状況、又は前記サービスの利用状況を、前記ユーザに関する前記権限を表す権限情報と関連付けて記憶する権限情報記憶部とを備え、前記広告データ送信部は、前記権限情報記憶部に記憶された前記広告の利用状況、又は前記サービスの利用状況に応じた前記広告データを、前記クライアント装置へ送信してもよい。
【００１２】
本発明のクライアント装置は、ユーザのクライアント装置が所定のサービスを利用するための権限と引き換えられるクーポンを特定するクーポン情報を、上記いずれかの構成のサーバ装置へ送信するクーポン情報送信部と、送信された前記クーポン情報と引き換えられた前記権限に従って前記サービスを利用するための制御を行うサービス利用制御部と、前記サーバ装置から前記広告データを受信する広告データ受信部と、前記サービスが利用されるときに、受信された前記広告データが表す広告を表示する広告表示部とを備える。
【００１３】
本発明の情報処理システムは、サーバ装置とクライアント装置とを備える情報処理システムであって、前記サーバ装置は、前記クライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部とを有し、前記クライアント装置は、前記クーポン情報を前記サーバ装置へ送信するクーポン情報送信部と、送信された前記クーポン情報と引き換えられた前記権限に従って前記サービスを利用するための制御を行うサービス利用制御部と、前記サーバ装置から前記広告データを受信する広告データ受信部と、前記サービスが利用されるときに、受信された前記広告データが表す広告を表示する広告表示部とを有する。
【００１４】
本発明のプログラムは、ユーザのクライアント装置のコンピュータに、前記クライアント装置が所定のサービスを利用するための権限と引き換えられるクーポンを特定するクーポン情報を、上記いずれかの構成のサーバ装置へ送信するステップと、送信された前記クーポン情報と引き換えられた前記権限に従って前記サービスを利用するための制御を行うステップと、前記サーバ装置から前記広告データを受信するステップと、前記サービスが利用されるときに、受信された前記広告データが表す広告を表示するステップとを実行させるためのプログラムである。
【発明の効果】
【００１５】
本発明によれば、提供したクーポンに相応の価値に加えてクーポンの提供者が享受することができる価値を、より質の高いものとすることができる。
【図面の簡単な説明】
【００１６】
【図１】本発明の第１実施形態に係る情報処理システムの全体構成を示す図。
【図２】同実施形態に係る情報処理システムの概要の説明図。
【図３】同実施形態に係るサービスサーバのハードウェア構成を示すブロック図。
【図４】同実施形態に係るクーポン管理データベースの構成を示す図。
【図５】同実施形態に係るアカウント管理データベースの構成を示す図。
【図６】同実施形態に係る広告管理データベースの構成を示す図。
【図７】同実施形態に係るクライアント装置のハードウェア構成を示すブロック図。
【図８】同実施形態に係るサービスサーバ、及びクライアント装置の機能構成を示すブロック図。
【図９】同実施形態に係る情報処理システムで実行される処理を示すシーケンスチャート。
【図１０】同実施形態に係るクライアント装置で表示されるログイン画面の一例を示す図。
【図１１】本発明の第２実施形態に係るクーポン管理データベースの構成を示す図。
【図１２】同実施形態に係る広告管理データベースの構成を示す図。
【図１３】同実施形態に係るサービスサーバ、及びクライアント装置の機能構成を示すブロック図。
【図１４】同実施形態に係る情報処理システムで実行される処理を示すシーケンスチャート。
【図１５】同実施形態に係るクライアント装置で表示されるログイン画面の一例を示す図。
【図１６】本発明の第３実施形態に係るアカウント管理データベースの構成を示す図。
【図１７】同実施形態に係る広告管理データベースの構成を示す図。
【図１８】同実施形態に係るサービスサーバ、及びクライアント装置の機能構成を示すブロック図。
【図１９】同実施形態に係る情報処理システムで実行される処理を示すシーケンスチャート。
【発明を実施するための形態】
【００１７】
［第１実施形態］
図１は、本発明の第１実施形態に係る情報処理システム１の全体構成を示す図である。
情報処理システム１は、サービスサーバ１０と、クライアント装置２０と、提供者サーバ３０（３０Ｘ，３０Ｙ）とを備える。サービスサーバ１０、クライアント装置２０、及び提供者サーバ３０Ｘ、３０Ｙは、ネットワークＮＷ１に、無線又は有線により接続する。ネットワークＮＷ１は、移動通信網やインターネット等の公衆の通信回線を含む。また、クライアント装置２０は、所定の条件を満たすことにより、アクセスポイントＡＰを介して、ネットワークＮＷ２に接続することが可能である。ネットワークＮＷ２は、Ｗｉ−Ｆｉの規格に準拠したネットワークで、ネットワークＮＷ１と接続する。即ち、クライアント装置２０は、ネットワークＮＷ１に直接に接続する場合と、ネットワークＮＷ２を介してネットワークＮＷ１に接続する場合とがある。
なお、図１には、アクセスポイントＡＰが１台だけ示されているが、実際には、多数存在するものとする。また、図１には、ユーザＵのクライアント装置２０のみが示されているが、実際には、他のユーザによって使用されるクライアント装置も存在する。
【００１８】
サービスサーバ１０は、企業等のサービス提供者Ｓによって運用されるサーバ装置である。サービスサーバ１０は、ネットワークＮＷ１を介して、クライアント装置２０に所定のサービスを付与する。このサービスは、本実施形態では、Ｗｉ−Ｆｉサービスである。Ｗｉ−Ｆｉサービスは、ネットワークＮＷ２を介してネットワークＮＷ１に接続することを可能にするサービスである。
【００１９】
クライアント装置２０は、ユーザＵによって使用（所持）される。ユーザＵは、店舗やその他の商業施設で商品を購入したり、サービスの提供を受けたりする個人である。クライアント装置２０は、ここではスマートフォンであるが、タブレット型端末やフィーチャーフォン、携帯型ゲーム機、ノート型パソコン、ウェアラブル型コンピュータ、通信機能を有するその他の装置であってもよい。
【００２０】
提供者サーバ３０は、クーポン提供者によって運用されるサーバ装置である。提供者サーバ３０Ｘは、クーポン提供者Ｘによって管理される。提供者サーバ３０Ｙは、クーポン提供者Ｙによって管理される。図１には「クーポン提供者Ｚ」も示されているが、クーポン提供者Ｚによって管理される提供者サーバは存在しないものとする。
【００２１】
クーポン提供者は、例えば商業施設等を運営する企業で、ユーザＵ等の顧客に対してクーポンを提供する者である。クーポンは、Ｗｉ−Ｆｉサービスを利用するための権限と引き換えられるクーポンである。本実施形態のクーポンには、当該クーポンを一意に特定するクーポン情報が割り当てられている。クーポン情報は、例えばアルファベット、数字又はそれらの組み合わせからなる文字列で、クーポンコードとして観念されるものである。クーポンを入手した顧客は、そのクーポンのクーポン情報を把握できる。
【００２２】
本実施形態において、クーポンは、電子データの形式で提供されるクーポン（つまり電子クーポン）と、紙媒体のような現物の形式で提供されるクーポンとを含む。即ち、クーポンの形式は、特に問わない。
【００２３】
図２は、情報処理システム１の概要を説明する図である。
サービス提供者Ｓは、クーポン提供者Ｘ，Ｙ，Ｚによって提供されるクーポンの束であるクーポン束を発行し、そのクーポン束を、クーポン提供者Ｘ，Ｙ，Ｚに販売する。クーポンの内容やクーポンの発行量等は、例えば、サービス提供者Ｓと各クーポン提供者との契約によって定められる。クーポン提供者Ｘ，Ｙ，Ｚは、発行されたクーポンを、ユーザＵ等の顧客に提供する。クーポンは、例えば、クーポン提供者が提供する商品を購入した、又はサービスの提供を受けた顧客に提供される。電子クーポンであれば、所定のウェブページを閲覧したことを条件に提供されてもよい。現物のクーポンであれば、新聞や雑誌等の媒体への添付や、商業施設等での配布によって提供されてもよい。即ち、クーポンの提供の条件や提供の方法は、特に問わない。
【００２４】
顧客は、提供されたクーポンのクーポン情報を用いて、Ｗｉ−Ｆｉサービスを利用することができる。この際に、クライアント装置２０を介して、顧客側からサービス提供者Ｓ側にクーポン情報が引き渡されることで、Ｗｉ−Ｆｉサービスを利用するための権限（利用権限）が顧客に付与され、更に広告がクライアント装置２０に表示される。情報処理システム１は、特に、この広告の表示に関する構成に特徴を有している。
【００２５】
図３は、サービスサーバ１０のハードウェア構成を示すブロック図である。サービスサーバ１０は、制御部１１と、通信部１２と、クーポン管理データベース１３と、アカウント管理データベース１４と、広告管理データベース１５とを備える。
制御部１１は、例えばＣＰＵ（Central Processing Unit）、ＲＯＭ（Read Only Memory）、及びＲＡＭ（Random Access Memory）を有するプロセッサを備える。ＣＰＵは、ＲＯＭに記憶されたプログラムをＲＡＭに読み出して実行することにより、サービスサーバ１０の各部を制御する。通信部１２は、例えばモデムを備え、ネットワークＮＷ１に接続して通信を行う。
【００２６】
クーポン管理データベース１３、アカウント管理データベース１４、及び広告管理データベース１５は、１又は複数のハーディスク装置等の記憶装置によって実現されるデータベースである。クーポン管理データベース１３は、顧客に提供されるクーポンに関する情報を記憶するクーポン情報記憶部に相当する。アカウント管理データベース１４は、Ｗｉ−Ｆｉサービスのアカウントに関する情報を記憶する権限情報記憶部に相当する。広告管理データベース１５は、クライアント装置２０に表示される広告に関するデータを記憶する広告データ記憶部に相当する。
【００２７】
図４は、クーポン管理データベース１３の構成を示す図である。クーポン管理データベース１３は、複数のクーポン情報の各々に、クーポン提供者を特定する情報を関連付けた構成である。クーポン管理データベース１３を参照すれば、クーポン情報を手掛かりとして、各クーポンがどのクーポン提供者によって提供されたものかを特定することができる。
クーポン管理データベース１３は、例えば、クーポン束の販売が行われたときに、サービスサーバ１０によって更新される。
【００２８】
図５は、アカウント管理データベース１４の構成を示す図である。アカウント管理データベース１４は、複数のクーポン情報の各々に、アカウント情報を関連付けた構成である。アカウント情報は、ここではＩＤ及びパスワードを含み、Ｗｉ―Ｆｉサービスにおけるアカウント毎に生成される。アカウント情報は、Ｗｉ―Ｆｉサービスにログインするため使用され、Ｗｉ−Ｆｉサービスを利用するための権限を表す権限情報に相当する。
アカウント管理データベース１４は、例えば、アカウントが発行されたときに、サービスサーバ１０によって更新される。
【００２９】
図６は、広告管理データベース１５の構成を示す図である。広告管理データベース１５は、複数のクーポン提供者の各々に、広告データを関連付けた構成である。広告データは、クーポン提供者に関連する広告の画像を表すデータである。広告データは、例えば、クーポン提供者が販売する商品若しくは提供するサービス、又は実施されるキャンペーン等の、広告主であるクーポン提供者の広告を表すが、広告の具体的な内容は特に問わない。前述したように、クーポン情報からクーポン提供者が一意に特定されるので、広告管理データベース１５では、クーポン情報に関連付けて広告データに記憶されていることに等しい。
広告管理データベース１５は、例えば、提供者サーバ３０とサービスサーバ１０との通信により更新される。
【００３０】
図７は、クライアント装置２０のハードウェア構成を示すブロック図である。図７に示すように、クライアント装置２０は、制御部２１と、操作部２２と、第１通信部２３と、第２通信部２４と、表示部２５と、記憶部２６とを備える。
制御部２１は、ＣＰＵ、ＲＯＭ、及びＲＡＭを有するプロセッサを備える。ＣＰＵは、ＲＯＭや記憶部２６に記憶されたプログラムをＲＡＭに読み出して実行することにより、クライアント装置２０の各部を制御する。操作部２２は、ユーザにより行われた操作を受け付ける操作装置であり、例えば、表示部２５の表示面に重ねて設けられたタッチスクリーンや物理キーを有する。第１通信部２３は、ネットワークＮＷ１に無線により接続するインタフェースを有する。第２通信部２４は、ネットワークＮＷ２に無線により接続してするインタフェースを有する。表示部２５は、例えば液晶ディスプレイであり、画像を表示する表示面に各種の画像（画面）を表示して、ユーザに情報を報知する。記憶部２６は、例えばＥＥＰＲＯＭ（Electronically Erasable and Programmable ROM）又はフラッシュメモリを備え、アプリケーション２６１を含む各種のデータを記憶する。アプリケーション２６１は、Ｗｉ−Ｆｉサービスを利用するためのアプリケーションプログラムである。
【００３１】
図８は、サービスサーバ１０、及びクライアント装置２０の機能構成を示すブロック図である。サービスサーバ１０は、プログラムを実行することにより、クーポン情報受信部１０１と、アカウント情報送信部１０２と、サービス付与部１０３と、広告データ送信部１０４とに相当する機能を実現する。クライアント装置２０は、アプリケーション２６１を実行することにより、受付部２０１と、クーポン情報送信部２０２と、アカウント情報受信部２０３と、サービス利用制御部２０４、広告データ受信部２０５と、広告表示部２０６とに相当する機能を実現する。
クライアント装置２０において、受付部２０１は、クーポン情報の入力を受け付ける。ここでは、ユーザＵの操作により、ユーザＵが入手したクーポン情報が入力される。受付部２０１は、制御部２１、及び操作部２２により実現される。クーポン情報送信部２０２は、入力を受け付けたクーポン情報を、ネットワークＮＷ１を介して、サービスサーバ１０へ送信する。クーポン情報送信部２０２は、制御部２１、及び第１通信部２３により実現される。
【００３２】
サービスサーバ１０において、クーポン情報受信部１０１は、クライアント装置２０からクーポン情報を受信する。アカウント情報送信部１０２は、クーポン情報受信部１０１によりクーポン情報が受信されると、ネットワークＮＷ１を介して、アカウント情報をクライアント装置２０へ送信する。アカウント情報送信部１０２は、具体的には、アカウントを発行し、このアカウントを示すアカウント情報を、受信されたクーポン情報と関連付けてアカウント管理データベース１４に登録する。そして、アカウント情報送信部１０２は、このアカウント情報を送信する。アカウント情報送信部１０２は、権限情報送信部に相当する。クーポン情報受信部１０１、及びアカウント情報送信部１０２は、制御部１１、及び通信部１２により実現される。
【００３３】
クライアント装置２０において、アカウント情報受信部２０３は、サービスサーバ１０からアカウント情報を受信する。アカウント情報受信部２０３は、権限情報受信部に相当する。アカウント情報受信部２０３は、制御部２１、及び第１通信部２３により実現される。
【００３４】
サービス利用制御部２０４は、アカウント情報受信部２０３により送信されたクーポン情報を特定するクーポンと引き換えられた権限に従って、Ｗｉ−Ｆｉサービスを利用するための制御を行う。具体的には、サービス利用制御部２０４は、ネットワークＮＷ２に接続した後、アカウント情報受信部２０３により受信されたアカウント情報をサービスサーバ１０に送信することで、Ｗｉ−Ｆｉサービスにログインする。そして、サービス利用制御部２０４は、Ｗｉ−Ｆｉサービスの利用中は、Ｗｉ−Ｆｉサービスに係るデータ（以下「サービスデータ」という。）を、サービスサーバ１０との間で送受信する。サービス利用制御部２０４は、制御部２１、及び第２通信部２４により実現される。
【００３５】
サービス付与部１０３は、クライアント装置２０にＷｉ−Ｆｉサービスを付与するための制御を行う。サービス付与部１０３は、クライアント装置２０から受信したアカウント情報と、アカウント管理データベース１４に記憶されたアカウント情報とを比較し、一致するものがあれば、クライアント装置２０のログインを許可する。また、サービス付与部１０３は、クライアント装置２０との間で、サービスデータの送受信を行う。サービス付与部１０３は、制御部１１、及び通信部１２により実現される。
なお、サービス付与部１０３は、ログインの可否に関する制御を行い、サービスデータの送受信を含むログイン後の処理については、別のサーバ装置によって行われてもよい。
【００３６】
広告データ送信部１０４は、広告管理データベース１５において、クーポン情報受信部１０１により受信されたクーポン情報と関連付けられた広告データを抽出し、抽出した広告データを、ネットワークＮＷ１、及びネットワークＮＷ２を介して、クライアント装置２０へ送信する。広告データ送信部１０４は、受信されたクーポン情報と、クーポン管理データベース１３とに基づいてクーポン提供者を特定する。広告データ送信部１０４は、広告管理データベース１５に記憶されたこのクーポン提供者に関連する広告データを、クライアント装置２０へ送信する。広告データ送信部１０４は、アカウント管理データベース１４を参照することにより、クーポン情報と、広告データの送信先のクライアント装置２０間するアカウント情報との関係を特定する。
【００３７】
また、広告データ送信部１０４は、クーポンと引き換えられた権限（換言すると、アカウント情報）に従ってＷｉ−Ｆｉサービスが利用されるときに、広告データをクライアント装置２０へ送信する。Ｗｉ−Ｆｉサービスが利用されるときとは、ここでは、サービス付与部１０３でアカウント情報が送信されたときから、Ｗｉ−Ｆｉサービスからログアウトされるときまでの期間に属する時点をいうものとする。広告データ送信部１０４は、制御部１１、及び通信部１２により実現される。
【００３８】
クライアント装置２０において、広告データ受信部２０５は、サービスサーバ１０から広告データを受信する。広告データ受信部２０５は、制御部２１、及び第２通信部２４により実現される。広告表示部２０６は、クーポンと引き換えられた権限に従ってＷｉ−Ｆｉサービスが利用されているときに、広告データ受信部２０５により受信された広告データが表す広告を表示する。広告表示部２０６は、制御部２１、及び表示部２５により実現される。
【００３９】
次に、本実施形態の動作を説明する。
図９は、情報処理システム１で実行される処理を示すシーケンスチャートである。
はじめに、サービス提供者Ｓは、クーポンを発行するための作業を行う。クーポンが電子クーポンであり、且つクーポン提供者が提供者サーバ３０を運用している場合、サービスサーバ１０は、発行したクーポンのクーポン情報の一覧を示すクーポン情報リストを、提供者サーバ３０へ送信する（ステップＳ１）。ここでは、サービスサーバ１０は、クーポン提供者Ｘ，Ｙに発行したクーポンに基づいて、クーポン情報リストを、提供者サーバ３０Ｘ，３０Ｙのそれぞれに送信する。また、なお、提供者サーバ３０を運用していないクーポン提供者Ｚについては、ステップＳ１の処理は行われないものとする。
【００４０】
発行されたクーポンが電子クーポンの場合、このクーポンは、サービスサーバ１０から提供者サーバ３０に電子クーポンが送信される（ステップＳ２）。この後、所定の提供の条件に従い、提供者サーバ３０からクライアント装置２０にクーポンが提供（送信）される。現物のクーポンの場合は、例えば、サービス提供者Ｓは郵送等により、クーポン提供者にクーポンを納品する。このクーポン提供者は、商業施設等の場所で、顧客にクーポンを提供する。
【００４１】
ユーザＵは、Ｗｉ−Ｆｉサービスを利用しようとするときは、クライアント装置２０の操作部２２を操作して、アプリケーション２６１を起動させる。クライアント装置２０は、この操作に応じて、アプリケーション２６１を実行する（ステップＳ３）。
【００４２】
次に、クライアント装置２０は、クーポン情報の入力を受け付ける（ステップＳ４）。クライアント装置２０は、クーポン情報の入力画面を表示部２５に表示させる。ユーザＵは、操作部２２を操作して、クーポン情報を入力する。ここでは、ユーザＵが、「C012345673」と入力したものとする。クライアント装置２０は、クーポン情報が入力されると、ネットワークＮＷ１に接続した後、当該クーポン情報をサービスサーバ１０へ送信する（ステップＳ５）。
【００４３】
サービスサーバ１０は、クーポン情報を受信すると（ステップＳ６）、アカウントを発行して、そのアカウントのアカウント情報を、アカウント管理データベース１４に登録する（ステップＳ７）。サービスサーバ１０は、ここでは、ＩＤ「ＩＤ００１」とパスワード「ａｂｃｄ」とからなるアカウント情報を登録する。この際、サービスサーバ１０は、このアカウント情報を、受信したクーポン情報「C012345673」と関連付けて登録する（図３の第１行参照）。図３から分かるように、アカウント情報は、各クーポン情報に固有の情報となる。そして、サービスサーバ１０は、アカウント情報をクライアント装置２０へ送信する（ステップＳ８）。クライアント装置２０は、アカウント情報を受信すると（ステップＳ９）、これを記憶部２６に記憶させ、また、表示部２５に表示させる。
以上の処理により、ユーザＵによるアカウント情報の入手が完了したことになる。
【００４４】
ユーザＵは、入手したアカウント情報を用いて、実際にＷｉ−Ｆｉサービスを利用するときは、操作部２２を用いて所定の操作を行う。クライアント装置２０は、この操作に応じて、アクセスポイントＰを介して、ネットワークＮＷ２に接続する。そして、クライアント装置２０は、ステップＳ９で受信していたアカウント情報を、サービスサーバ１０へ送信する（ステップＳ１０）。ステップＳ９のアカウント情報の受信後、アプリケーション２６１を終了させていた場合には、クライアント装置２０は、アプリケーション２６１を実行した後に、アカウント情報を送信する。ここでは、クライアント装置２０が、ＩＤ「ＩＤ００１」とパスワード「ａｂｃｄ」とからなるアカウント情報を送信したものとする。
【００４５】
サービスサーバ１０は、クライアント装置２０からアカウント情報を受信する（ステップＳ１１）。サービスサーバ１０は、受信したアカウント情報が、アカウント管理データベース１４に記憶されたアカウント情報に登録されていることを確認すると、Ｗｉ−Ｆｉサービスへのログインを許可する。
【００４６】
次に、サービスサーバ１０は、ステップＳ５で受信したクーポン情報に関連付けられた広告データを、広告管理データベース１５から抽出する（ステップＳ１２）。具体的には、サービスサーバ１０は、アカウント管理データベース１４を参照して、ステップＳ１１で受信したアカウント情報と関連付けられたクーポン情報を抽出する。ここでは、サービスサーバ１０は、まず、ＩＤ「ＩＤ００１」とパスワード「ａｂｃｄ」とからなるアカウント情報に関連付けられた、クーポン情報「C012345673」を特定する。そして、サービスサーバ１０は、クーポン管理データベース１３を参照して、このクーポン情報と関連付けられたクーポン提供者を特定する。ここでは、サービスサーバ１０は、「クーポン提供者Ｘ」を特定する。そして、サービスサーバ１０は、特定したクーポン提供者の広告データを、広告管理データベース１５から抽出する。ここでは、サービスサーバ１０は、「広告データＤＸ」を抽出することになる。
【００４７】
次に、サービスサーバ１０は、抽出した広告データを、クライアント装置２０へ送信する（ステップＳ１３）。クライアント装置２０は、サービスサーバ１０から広告データを受信すると（ステップＳ１４）、表示部２５を用いて、Ｗｉ−Ｆｉサービスにログインしたことを示すログイン画面において、当該広告データが表す広告を表示させる（ステップＳ１５）。
【００４８】
図１０は、クライアント装置２０で表示されるログイン画面の一例を示す図である。
クーポン提供者Ｘの広告データＤＸを受信した場合、クライアント装置２０は、図１０（Ａ）に示すログイン画面ＳＣ１を表示させる。図１０（Ａ）に示すように、ログイン画面ＳＣ１には、「Ｗｉ−Ｆｉサービスにログインしました。」というメッセージとともに、広告表示領域Ｔ１が表示されている。広告表示領域Ｔ１において、クーポン提供者Ｘの広告が表示される。
【００４９】
ステップＳ４で、クライアント装置２０が、クーポン提供者Ｙが提供するクーポンのクーポン情報（例えば、「C025362134」）の入力を受け付けていた場合は、図１０（Ｂ）に示すログイン画面ＳＣ２を表示させることになる。図１０（Ｂ）に示すように、ログイン画面ＳＣ２には、「Ｗｉ−Ｆｉサービスにログインしました。」というメッセージとともに、広告表示領域Ｔ２が表示されている。広告表示領域Ｔ２において、クーポン提供者Ｙの広告が表示される。ステップＳ４で、クライアント装置２０が、クーポン提供者Ｚが提供するクーポンのクーポン情報（例えば、「C031571110」）の入力を受け付けていた場合は、図１０（Ｃ）に示すログイン画面ＳＣ３を表示させることになる。図１０（Ｃ）に示すように、ログイン画面ＳＣ３には、「Ｗｉ−Ｆｉサービスにログインしました。」というメッセージとともに、広告表示領域Ｔ３が表示されている。広告表示領域Ｔ３において、クーポン提供者Ｚの広告が表示される。
このようにして、ユーザが入手したクーポンの提供者に関連する広告が、クライアント装置２０において表示される。
なお、広告表示領域に、広告に関連する所定のウェブページ（例えば、クーポン提供者Ｘが管理するウェブページ）を表示するためのアクセス先情報が設定されていてもよい。
【００５０】
図９に戻り、ログイン画面が表示された後、サービスサーバ１０は、クライアント装置２０にＷｉ−Ｆｉサービスを付与する。クライアント装置２０によりＷｉ−Ｆｉサービスが利用されているときは、サービスサーバ１０は、クライアント装置２０との間で、サービスデータの送受信を行う（ステップＳ１６）。
なお、ログイン後の処理が別のサーバ装置によって行われる場合は、ステップＳ１６の処理は実行されない。
【００５１】
以上説明した第１実施形態の情報処理システム１によれば、Ｗｉ−Ｆｉサービスを利用するための権限と引き換えられるクーポンの提供と、広告の表示とを連係させることで、その提供したクーポンに相応の価値に加えてクーポン提供者が享受することができる価値を、より質の高いものとすることができる。その作用について説明すると、顧客は、入手したクーポンのクーポン情報を用いて、Ｗｉ−Ｆｉサービスを利用することができる。このクーポン情報は、Ｗｉ−Ｆｉサービスを利用する目的で使用されるため、商品の購入やサービスの提供を受けるための決済が行われたことを必須とする場合に比べて、顧客によってより積極的に利用されやすい。このため、顧客によって広告が視認される機会は、当該表示の条件が決済の実行で、且つその決済時に広告が表示される場合に比べて、多くなることが期待できる。よって、クーポン提供者に関連する広告が、ユーザの目に触れる機会が増え、クーポン提供者にとっては、その広告の表示による宣伝活動の効果が向上する。
【００５２】
また、情報処理システム１では、クーポン情報からクーポン提供者が一意に特定される。よって、サービスサーバ１０は、クライアント装置２０から少なくともクーポン情報を受信すれば、クーポン提供者を特定する情報を別途受信しない場合でも、ユーザＵにクーポンを提供したクーポン提供者に関連する広告データを送信することができる。
また、サービスサーバ１０は、クーポン情報とアカウント情報とを関連付けて管理する。これにより、サービスサーバ１０は、ユーザＵ等の顧客の個人情報を用いなくとも、クライアント装置２０毎にアカウント情報を管理することができる。よって、サービスサーバ１０からの個人情報の漏洩のおそれが軽減される。
【００５３】
［第２実施形態］
上述した第１実施形態の情報処理システム１では、クーポンを提供したクーポン提供者に応じた広告を、ログイン画面において表示させていた。これに対し、本実施形態の情報処理システムでは、クーポン提供者に加え、クーポンに関連するする付加情報に応じて、より多様な広告の表示を可能にする。以下、上述した第１実施形態と同じ要素については同じ符号を付して表し、対応する要素については符号の末尾に「Ａ」を付して表す。また、上述した第１実施形態と重複する内容については、説明を適宜省略又は簡略化する。
【００５４】
本実施形態において、サービスサーバ１０Ａは、クーポン管理データベース１３、及び広告管理データベース１５に代えて、クーポン管理データベース１３Ａ、及び広告管理データベース１５Ａを備える。
図１１は、クーポン管理データベース１３Ａの構成を示す図である。
クーポン管理データベース１３Ａは、複数のクーポン情報の各々に、クーポン提供者を特定する情報と、付加情報とを関連付けた構成である。付加情報は、ここでは、ユーザ属性と、クーポンの形式と、有効期限と、発行時期と、提供時期と、提供場所と、発行量と、提供量との各々を特定する情報を含む。ユーザ属性は、クーポンが提供される対象のユーザの属性である。ユーザ属性としては、例えば、年齢や性別、国籍等がある。クーポンの形式は、ここでは、電子クーポン（図１１では「電子」と示す。）、及び現物のいずれか一方を示す。有効期限は、クーポンを利用可能な期限を示す。発行時期は、サービス提供者Ｓによりクーポン（クーポン束）が発行された時期を示す。提供時期は、クーポン提供者から顧客にクーポンが提供された時期、換言すると、顧客がクーポンを入手した時期を示す。提供場所は、クーポン提供者から顧客にクーポンが提供された場所、換言すると、顧客がクーポンを入手した時場所を示す。付加情報のうち、ユーザ属性と、クーポンの形式と、有効期限と、発行時期と、提供時期と、提供場所との各情報は、クーポンの属性を示す情報に相当する。
【００５５】
発行量は、発行されたクーポン束を構成するクーポンの量（ここでは、発行数）を示す。提供量は、発行されたクーポン束を構成するクーポンのうち、顧客に提供されたクーポンの量（ここでは、提供数）を示す。
クーポン管理データベース１３Ａの各情報は、例えば、クーポンが発行されたときや、顧客にクーポンが提供されるとき等の、適当なタイミングでクーポン管理データベース１３Ａに登録される。
なお、クーポン管理データベース１３Ａにおいては、全てのクーポンについて全ての付加情報が登録されていなくてもよい。不要な情報、又は特定できない情報については、図１１に「−」で示すようにブランクになっていてよい。
【００５６】
ここで、クーポン管理データベース１３Ａの作成（更新）の方法の一例を説明する。サービス提供者Ｓからクーポン提供者へクーポン束を販売する際に、サービスサーバ１０Ａは、クーポン束のクーポンを予め付加情報毎に分類し、その分類に基づいて、クーポン管理データベース１３Ａを作成しておく。この場合、クーポン提供者は来店者等の顧客に対して、その顧客の属性を把握した上で、対象のクーポンを提供する。一方、サービス提供者Ｓからクーポン提供者へクーポンを販売する際に、クーポン束のクーポンを予め付加情報毎に分類しない方法もある。その場合、クーポン提供者が来店者等の顧客に対してクーポンを提供する際に、相手の属性を把握し、それを付加情報として提供者サーバ３０に登録する。この場合、サービスサーバ１０Ａは提供者サーバ３０と通信することにより、クーポン情報と、このクーポン情報と関連付けられる付加情報とを取得する。
【００５７】
図１２は、広告管理データベース１５Ａの構成を示す図である。
広告管理データベース１５Ａは、複数のクーポン提供者の各々について、付加情報と広告データとを関連付けた構成である。付加情報は、ユーザ属性と、クーポンの形式と、有効期限と、発行時期と、提供時期と、提供場所とを含む。即ち、広告データは、クーポン提供者毎に１つではなく、複数用意されている。そして、送信の対象とする広告データは、ユーザ属性、クーポンの形式、有効期限、発行時期、提供時期、及び提供場所の１つ以上に応じて決定される。
なお、広告管理データベース１５Ａにおける付加情報と広告データとの関連付けについては、典型的には広告主であるクーポン提供者によって定められる。例えば、サービスサーバ１０は提供者サーバ３０と通信することにより、広告データと、この広告データと関連付けられる付加情報とを取得する。
【００５８】
図１３は、サービスサーバ１０Ａ、及びクライアント装置２０Ａの機能構成を示すブロック図である。上述した第１実施形態と異なる点は、サービスサーバ１０Ａが、更新部１０５、及び決定部１０６を備え、且つ広告データ送信部１０４Ａを備える点と、クライアント装置２０Ａが、広告データ受信部２０５Ａ、及び広告表示部２０６Ａを備える点とにある。
【００５９】
更新部１０５は、クーポン管理データベース１３Ａ、及び広告管理データベース１５Ａの更新を行う。更新部１０５は、提供者サーバ３０と通信することにより、クーポン情報と、このクーポン情報と関連付けられる付加情報との組み合わせを取得し、クーポン管理データベース１３Ａに登録する。また、更新部１０５は、広告データと、この広告データと関連付けられる付加情報との組み合わせを取得し、広告管理データベース１５Ａに登録する。更新部１０５は、制御部１１、及び通信部１２により実現される。
【００６０】
決定部１０６は、広告データ決定部１０６１と、表示態様決定部１０６２とに相当する機能を実現する。広告データ決定部１０６１は、クーポン情報受信部１０１により受信されたクーポン情報によって特定されるクーポンに関連する付加情報を取得する。そして、広告データ決定部１０６１は、広告管理データベース１５Ａにおいて、クーポン情報受信部１０１により受信されたクーポン情報と関連付けられた１以上の広告データの中から、取得した付加情報と関連付けられた広告データを、送信する対象として決定する。具体的には、広告データ決定部１０６１は、クーポン管理データベース１３Ａにおいてクーポン情報に関連付けられたクーポン提供者、及び付加情報を特定し、広告管理データベース１５Ａにおいてこのクーポン提供者、及び付加情報に関連付けられた広告データを、送信する対象として決定する。
なお、本実施形態におけるクーポン情報に関連付けられたクーポン提供者の特定は、決定部１０６が行っているが、この特定が広告データ送信部１０４Ａにより行われてもよい。
【００６１】
表示態様決定部１０６２は、クーポン情報受信部１０１により受信されたクーポン情報によって特定されるクーポンに関連する付加情報を取得する。そして、表示態様決定部１０６２は、この付加情報に基づいて、広告データが表す広告の表示の態様を決定する。広告の表示態様は、例えば、表示位置、広告、広告表示領域のサイズ、又は表示の頻度等である。広告データ決定部１０６１、及び表示態様決定部１０６２は、制御部１１により実現される。
【００６２】
広告データ送信部１０４Ａは、広告データ決定部１０６１により送信する対象として決定された広告データを、表示態様決定部１０６２により決定された表示態様で表示させるように、クライアント装置２０Ａへ送信する。
クライアント装置２０Ａにおいて、広告データ受信部２０５Ａは、サービスサーバ１０Ａから広告データを受信する。広告表示部２０６Ａは、クライアント装置２０によりＷｉ−Ｆｉサービスが利用されるときに、受信された広告データが表す広告を、決定された表示態様で表示する。
【００６３】
次に、本実施形態の動作を説明する。
図１４は、本実施形態に係る情報処理システムで実行される処理を示すシーケンスチャートである。ステップＳ１〜Ｓ１１の各処理は、上述した第１実施形態と同じである。
次に、サービスサーバ１０Ａは、ステップＳ６で受信したクーポン情報によって特定されるクーポンに関連する付加情報を取得し、広告管理データベース１５Ａにおいて当該クーポン情報と関連付けられた１以上の広告データの中から、当該付加情報と関連付けられた広告データを、送信する対象として決定する（ステップＳ２１）。ここでは、サービスサーバ１０Ａは、クーポン管理データベース１３Ａにおいて、受信したクーポン情報に関連付けられたクーポン提供者、及び付加情報を取得する。更に、サービスサーバ１０Ａは、広告管理データベース１５Ａにおいて、このクーポン提供者に関連付けられた１以上の広告データの中から、取得した付加情報に関連付けられた広告データを、送信する対象として決定する。ここでは、クーポンの属性に応じて、広告データが決定されるものとする。例えば、以下のとおりである。
【００６４】
（Ａ）ユーザ属性
サービスサーバ１０Ａは、例えば、１０〜２０代向け、３０〜４０代向け、５０〜６０代向け、男性向け、女性向け、日本人向け、外国人向けといったように、ユーザ属性に適した広告が表示されるように、送信する対象の広告データを決定する。もちろん、サービスサーバ１０Ａは、１０〜２０代の男性向け、といったように、複数種類のユーザ属性を組み合わせて、当該組み合わせに応じた広告データを送信する対象として決定してもよい。
【００６５】
（Ｂ）クーポンの形式
クーポンの形式が電子クーポンの場合は、顧客が、クライアント装置２０を用いてこのクーポンを入手したと考えられる。このため、顧客が、オンライン・ショッピング・サイトの利用にも比較的慣れていると推定される。そこで、サービスサーバ１０Ａは、例えば、オンライン・ショッピング・サイトで実施されるキャンペーンの広告を表す広告データを送信する対象として決定する。一方、クーポンの形式が現物の場合、ユーザＵが実店舗でクーポンを入手したと考えられる。そこで、サービスサーバ１０Ａは、例えば、実店舗で実施されるキャンペーンの広告を表す広告データを送信する対象として決定する。
【００６６】
（Ｃ）クーポンの有効期限
サービスサーバ１０Ａは、現在時点がクーポンの有効期限内の場合は、そのクーポンを利用できる店舗や、そのクーポンの内容を案内するための広告を表す広告データを送信する対象として決定する。サービスサーバ１０Ａは、現在時点がクーポンの有効期限後、又は有効期限直前の場合は、現在提供している新たなクーポンを入手できる場所や、そのクーポンの内容を案内するための広告を表す広告データを送信する対象として決定する。
なお、サービスサーバ１０Ａは、クーポンの有効期間の始期を、クーポンの提供時期に設定してもよい。顧客によりクーポン情報が入力された時期をクーポンの有効期間の始期としてもよいが、この時期をサービス提供者Ｓ側で制御できないからである。このため、クーポンの有効期間切れ後、クーポンを入手するための来店を促すことを目的として、クーポンの有効期間の始期を、クーポンの提供時期に設定する。
【００６７】
（Ｄ）クーポンの発行時期又は提供時期
例えば、ユーザＵが或る日時に実店舗を訪れた場合、次回以降も同様の日時に訪れる可能性は、それ以外の日時よりも高いと考えることができる。そこで、サービスサーバ１０Ａは、例えば、クーポンの発行時期、又は提供時期と同じ曜日に実施されるキャンペーンに広告を表す広告データを、送信する対象として決定する。時刻に応じて提供されるクーポンが異なる場合は、サービスサーバ１０Ａは、その時刻に応じた広告データを送信する対象として決定してもよい。例えば、クーポン提供者がレストランやデパート等を運営する場合、サービスサーバ１０Ａは、日中に提供されたクーポンの場合は、ランチやカフェに関する広告を、夜間に提供されたクーポンの場合は、ディナー関連での広告を表す広告データを送信する対象とする。
【００６８】
サービスサーバ１０Ａは、クーポンの発行時期、又は提供時期に関連する各期間で、送信の対象の広告データを異ならせてもよい。例えば、クーポンの発行時期、又は提供時期から、クーポンが利用された時期、又はサービス提供者Ｓのサービスが利用された時期までの期間が短い場合や、クーポンの有効期限切れから別のクーポンが再び提供されるまでの期間が短い場合は、クーポンの入手を目的とした実店舗への来店が期待できる。そこで、サービスサーバ１０Ａはクーポンを提供している実店舗に関する広告を表す広告データを送信する対象として決定する。
【００６９】
（Ｅ）クーポンの提供場所
サービスサーバ１０Ａは、例えば、クーポンが提供された場所付近にあるクーポン提供者に関連する商業施設や、当該場所付近でクーポン提供者が提供するイベント等の広告を表す広告データを送信する対象として決定する。
【００７０】
図１４に戻って説明する。
次に、サービスサーバ１０Ａは、送信する対象として決定した広告データが表す広告の表示態様を決定する（ステップＳ２２）。サービスサーバ１０Ａは、ここでは、付加情報のうち、クーポンの発行量又は提供量に応じて、広告の表示態様を決定する。例えば、クーポンの発行量が多いクーポン提供者は、サービス提供者にとって得意先であると推定される。そこで、サービスサーバ１０Ａは、クーポンの発行量が多い場合ほど、広告がより閲覧しやすい方法で表示されるようにする。例えば、サービスサーバ１０Ａは、クーポンの発行量が多いほど、他の広告よりも優先順位の高い位置に（例えば画面上部に）、広告数を多く、広告表示領域を大きく、又は表示の頻度を高くする。なお、発行量に代えて又は組み合わせて、提供量に基づいて、上記方法で表示態様が決定されてもよい。また、サービスサーバ１０Ａは、顧客の国籍によって広告の表示に用いられる言語を変えてもよく、広告データとして保存されている言語を国籍に応じた言語に翻訳した結果を送信し、広告を表示させてもよい。
【００７１】
そして、サービスサーバ１０Ａは、ステップＳ２１で決定した広告データを、ステップＳ２２で決定した表示態様で広告を表示させるように制御するための制御データとともに、クライアント装置２０へ送信する（ステップＳ２３）。
【００７２】
クライアント装置２０は、広告データと制御データとを受信すると（ステップＳ２４）、受信した広告データが表す広告を、制御データに従った表示態様で、ログイン画面において表示させる（ステップＳ２５）。
【００７３】
図１５は、クライアント装置２０Ａで表示されるログイン画面の一例を示す図である。
図１５（Ａ）のログイン画面ＳＣ４では、クーポン提供者Ｘのクーポン発行量（又は提供量）が比較的多いため、クーポン提供者Ｘの広告が表示される広告表示領域Ｔ４が、他者広告よりも画面上部で、且つ大きなサイズで表示されている。一方、図１５（Ｂ）のログイン画面ＳＣ５では、クーポン提供者Ｙのクーポン発行量（又は提供量）が比較的少ないため、クーポン提供者Ｙの広告が表示される広告表示領域Ｔ５が、他者広告よりも画面下部で、且つ小さなサイズで表示される。
【００７４】
以上説明した第２実施形態の情報処理システムによれば、クーポンに関する付加情報を組み合わせることで、より多様な広告の表示が可能となる。
【００７５】
［第３実施形態］
本実施形態の情報処理システムは、クーポン提供者に加え、ユーザによる広告の利用状況、又はサービスの利用状況に応じて、より多様な広告の表示を可能にする。以下、上述した第１実施形態と同じ要素については同じ符号を付して表し、対応する要素については符号の末尾に「Ｂ」を付して表す。また、上述した第１実施形態と重複する内容については、説明を適宜省略又は簡略化する。
【００７６】
本実施形態において、サービスサーバ１０Ｂは、アカウント管理データベース１４、及び広告管理データベース１５に代えて、アカウント管理データベース１４Ｂ、及び広告管理データベース１５Ｂを備える。
図１６は、アカウント管理データベース１４Ｂの構成を示す図である。アカウント管理データベース１４Ｂは、複数のクーポン情報の各々に、アカウント情報と、広告利用状況と、サービス利用状況とを関連付けた構成である。広告利用状況は、広告の利用の状況を示し、例えば、ログイン画面に表示された広告を選択して閲覧した、当該広告に関連付けられたアクセス先情報が示すアクセス先の情報に応じて定まる。サービス利用状況は、ここではＷｉ−Ｆｉサービスの利用の状況示し、例えば、Ｗｉ−Ｆｉサービスを利用した（例えばログインした）回数を示す。
アカウント管理データベース１４Ｂは、サービスサーバ１０Ｂによって逐次更新される。
【００７７】
図１７は、広告管理データベース１５Ｂの構成を示す図である。広告管理データベース１５Ｂは、複数のクーポン提供者の各々について、広告利用状況とサービス利用状況とに、広告データとを関連付けた構成である。広告利用状況として、例えば、「コンピュータに興味有り」、「楽器に興味有り」といった、利用が多い広告の分野を示す利用状況がある。サービス利用状況として、例えば、「１０回未満」、「１０〜２０回」といった利用状況がある。
【００７８】
図１８は、サービスサーバ１０Ｂ、及びクライアント装置２０の機能構成を示すブロック図である。上述した第１実施形態と異なる点は、サービスサーバ１０Ｂが、特定部１０７、及び決定部１０８を備える点と、広告データ送信部１０４Ｂを備える点とにある。
特定部１０７は、ユーザによる広告の利用状況、又はサービスの利用状況を特定する。ここでは、特定部１０７は、サービスデータに基づいて広告の利用状況を特定し、ログインした回数を集計することでサービスの利用状況を特定する。特定部１０７は、特定した結果を、該当のユーザのアカウント情報と関連付けて、アカウント管理データベース１４Ｂに登録する。
【００７９】
決定部１０８は、広告管理データベース１５Ｂにおいて、クーポン情報受信部１０１により受信されたクーポン情報と関連付けられた１以上の広告データの中から、特定部１０７により解析された広告利用状況、又はサービス利用状況に応じた広告データを決定し、これを送信する対象とする。具体的には、決定部１０８は、クーポン管理データベース１３においてクーポン情報に関連付けられたクーポン提供者を特定し、広告管理データベース１５Ｂにおいて、このクーポン提供者と、広告利用状況、又はサービス利用状況とに関連付けられた広告データを、送信する対象の広告データとして決定する。
なお、本実施形態におけるクーポン情報に関連付けられたクーポン提供者の特定は、決定部１０８が行っているが、この特定が広告データ送信部１０４Ｂにより行われてもよい。
【００８０】
広告データ送信部１０４Ｂは、決定部１０８により送信する対象として決定された広告データを、クライアント装置２０へ送信する。
【００８１】
次に、本実施形態の動作を説明する。
図１９は、本実施形態に係る情報処理システムで実行される処理を示すシーケンスチャートである。ステップＳ１〜Ｓ１１の各処理は、上述した第１実施形態と同じである。
次に、サービスサーバ１０Ｂは、クーポン情報、及びサービス利用状況、又は広告利用状況に応じて、送信する対象の広告データを決定する（ステップＳ３１）。ここでは、サービスサーバ１０Ｂは、クーポン管理データベース１３において、受信したクーポン情報に関連付けられたクーポン提供者を特定する。更に、サービスサーバ１０Ｂは、広告管理データベース１５Ｂにおいて、このクーポン提供者に関連付けられた１以上の広告データの中から、アカウント管理データベース１４Ｂから取得したサービス利用状況、又は広告利用状況に関連付けられた広告データを、送信する対象として決定する。例えば、サービスサーバ１０Ｂは、コンピュータ関係に関心のあるユーザのクライアント装置２０については、コンピュータに関する広告を、楽器関係に関心のあるユーザのクライアント装置２０については、楽器に関する広告を表す広告データを送信する対象として決定する。また、サービスサーバ１０Ｂは、例えば、サービスの利用回数が多いほど、より顧客にとってのメリットの大きいキャンペーンを案内するための広告データを、送信する対象として決定する。
【００８２】
そして、サービスサーバ１０Ｂは、ステップＳ３１で決定した広告データを、クライアント装置２０へ送信する（ステップＳ３２）。クライアント装置２０は、広告データを受信すると（ステップＳ１４）、受信した広告データが表す広告を、制御データに従った表示態様で、ログイン画面において表示させる（ステップＳ１５）。ステップＳ１４，Ｓ１５は、上述した第１実施形態と同じ処理でよい。
【００８３】
また、サービスサーバ１０Ｂは、ステップＳ１６で送受信されるサービスデータを解析し、また、クライアント装置２０毎のログインの回数を解析して、サービス利用状況と広告利用状況とを特定し、アカウント管理データベース１４Ｂに登録する（ステップＳ３３）。
【００８４】
以上説明した第３実施形態の情報処理システムによれば、広告利用状況やサービス利用状況を組み合わせることで、より多様な広告の表示が可能となる。サービスサーバ１０Ｂでは、広告利用状況、及びサービス利用状況を、アカウント情報と関連付けて管理する。つまり、クライアント装置２０のユーザＵの個人情報を用いずに、クライアント装置２０毎のユーザのサービス利用状況と広告利用状況を管理することができる。よって、個人情報と、広告利用状況又はサービス利用状況とが紐付いた状態で漏洩するおそれが軽減される。
【００８５】
［変形例］
本発明は、上述した実施形態と異なる形態で実施してもよい。また、以下に示す変形例は、各々を組み合わせてもよい。この変形例において、「サービスサーバ１０」としている箇所は、「サービスサーバ１０Ａ」又は「サービスサーバ１０Ｂ」と置き換えられてもよい。「クライアント装置２０」としている箇所は、「クライアント装置２０Ａ」と置き換えられてもよい。
本発明では、上述した第１実施形態、第２実施形態、及び第３実施形態の２つ以上を組み合わせた方法で、サービスサーバ１０が送信する広告データが決定されてもよい。
【００８６】
サービスサーバ１０が送信する広告データは、上述した実施形態で説明した方法以外の方法で決められてもよい。サービスサーバ１０は、例えば、クライアント装置２０の位置、又は時刻に応じて、送信する対象の広告データを決定してもよい。この場合のクライアント装置２０の位置又は時刻は、例えば、クライアント装置２０がアカウント情報を送信してＷｉ−Ｆｉサービスを利用したときの位置、又は時刻を示す。クライアント装置２０の位置については、サービスサーバ１０が、クライアント装置２０が接続したアクセスポイントＡＰに基づいて特定してもよいし、クライアント装置２０から測位処理の結果を示す位置データを受信し、この位置データに基づいて特定してもよい。
【００８７】
上述した実施形態では、クライアント装置２０が、ネットワークＮＷ１に接続してサービスサーバ１０にクーポン情報を送信し、更にネットワークＮＷ２に接続してＷｉ−Ｆｉサービスを利用していた。この構成に限られるものではなく、ネットワークＮＷ１に接続してサービスサーバ１０にクーポン情報を送信するクライアント装置と、ネットワークＮＷ２に接続してＷｉ−Ｆｉサービスを利用するクライアント装置とが異なっていてもよい。例えば、パーソナル・コンピュータであるクライアント装置が、ネットワークＮＷ１に有線により接続して、クーポン情報を送信する。そして、スマートフォンであるクライアント装置が、ネットワークＮＷ２に無線により接続して、Ｗｉ−Ｆｉサービスを利用してもよい。
【００８８】
上述した実施形態で説明した情報処理システムの構成や動作の一部を省略又は変更してもよい。
例えば、上述した実施形態では、クライアント装置２０がログイン画面を表示するときに、広告を表示していたが、広告を表示する時点はこれに限られない。例えば、サービスサーバ１０でアカウント情報が送信されたときから、Ｗｉ−Ｆｉサービスからログアウトされるときまでの期間に属する他の時点、例えばサービスが利用されている期間内の時点に、広告が表示されてもよい。
また、上述した実施形態では、サービスサーバ１０は、クライアント装置２０から、アカウント情報を受信したことを契機に、広告データを送信していた。これに代えて、サービスサーバ１０は、クーポン情報があれば送信する対象の広告が定まるので、クライアント装置２０からクーポン情報受信したことを契機に、広告データを送信してもよい。
また、アプリケーション２６１で実現されていた機能の一部又は全部は、サービスサーバ１０が提供するウェブページ等の、アプリケーションを用いない方法で実現されてもよい。
【００８９】
上述した実施形態で説明した広告管理データベース１５，１５Ａ，１５Ｂには、クーポン提供者を特定する情報が登録されていた。前述したように、クーポン提供者は、クーポン情報と一意に関連付けられる。よって、広告管理データベース１５，１５Ａ，１５Ｂにおいて、クーポン提供者を特定する情報に代えて又は組み合わせて、クーポン情報が登録されてもよい。また、アカウント管理データベース１４，１４Ｂにおいて、クーポン情報とアカウント情報とが１：Ｎ（Ｎは２以上の自然数）の関係にあってもよい。
【００９０】
本発明のサービスは、Ｗｉ−Ｆｉサービスのような接続サービスに限られない。本発明のサービスは、翻訳サービスや、動画や雑誌を含むコンテンツ配信サービス等のネットワークを通じて付与される別のサービスであってもよいし、ネットワークを通じて付与されるサービス以外のサービスであってもよい。
【００９１】
本発明の権限情報は、ＩＤ及びパスワードからなるアカウント情報に限られない。本発明の権限情報は、ＩＤ及びパスワードの一方でもよいし、サービスを利用するための権限を表す他の情報であってもよい。また、上述した実施形態では、サービスサーバ１０はアカウント情報をクライアント装置２０に送信しているが、この送信をしない構成であってもよい。サービスサーバ１０は、受信したクーポン情報を把握することでクライアント装置２０又はそのユーザに対するサービスを利用するための権限を設定し、以降、そのクライアント装置２０又はそのユーザからのサービスサーバ１０への接続に伴い、設定した権限に従ってサービスを提供してもよい。即ち、アカウント情報送信部１０２、及びアカウント情報受信部２０３に相当する機能が省略されてよい。
【００９２】
本発明のクーポン情報は、１のクーポンを一意に特定する情報でなくてもよい。本発明のクーポン情報は、クーポンの種類を特定する情報でもよい。この場合、同じクーポンが複数流通する場合に、これらでクーポン情報が共通していてもよい。また、クーポン情報は、ユーザが操作により入力するのではなく、アプリケーション等の機能により、自動入力されてもよい。
本発明の広告は、画像に限られず、音声等のユーザが知覚可能な方法で表されてもよい。
【００９３】
サービスサーバ１０やクライアント装置２０のハードウェア構成は実施形態で例示したものに限定されない。要求される機能を実現できるものであれば、サービスサーバやクライアント装置はどのようなハードウェア構成を有していてもよい。
上述した実施形態のサービスサーバ１０、又はクライアント装置２０が実現する機能は、複数のプログラムの組み合わせによって実現され、又は、複数のハードウェア資源の連係によって実現され得る。サービスサーバ１０、又はクライアント装置２０の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、情報処理方法として把握することも可能である。
【符号の説明】
【００９４】
１…情報処理システム、１０，１０Ａ，１０Ｂ…サービスサーバ、１０１…クーポン情報受信部、１０２…アカウント情報送信部、１０３…サービス付与部、１０４，１０４Ａ，１０４Ｂ…広告データ送信部、１０５…更新部、１０６…決定部、１０６１…広告データ決定部、１０６２…表示態様決定部、１０７…特定部、１０８…決定部、１１…制御部、１２…通信部、１３，１３Ａ…クーポン管理データベース、１４，１４Ｂ…アカウント管理データベース、１５，１５Ａ，１５Ｂ…広告管理データベース、２０…クライアント装置、２０１…受付部、２０２…クーポン情報送信部、２０３…アカウント情報受信部、２０４…サービス利用制御部、２０５，２０５Ａ…広告データ受信部、２０６，２０６Ａ…広告表示部、２１…制御部、２２…操作部、２３…第１通信部、２４…第２通信部、２５…表示部、２６…記憶部、２６１…アプリケーション。
【図１】
2017174086.tif 000003
【図２】
2017174086.tif 000004
【図３】
2017174086.tif 000005
【図４】
2017174086.tif 000006
【図５】
2017174086.tif 000007
【図６】
2017174086.tif 000008
【図７】
2017174086.tif 000009
【図８】
2017174086.tif 000010
【図９】
2017174086.tif 000011
【図１０】
2017174086.tif 000012
【図１１】
2017174086.tif 000013
【図１２】
2017174086.tif 000014
【図１３】
2017174086.tif 000015
【図１４】
2017174086.tif 000016
【図１５】
2017174086.tif 000017
【図１６】
2017174086.tif 000018
【図１７】
2017174086.tif 000019
【図１８】
2017174086.tif 000020
【図１９】
2017174086.tif 000021
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
ユーザのクライアント装置が所定のサービスを利用するための権限と引き換えられるクーポンを特定するクーポン情報と関連付けて、当該クーポンの提供者に関連する広告を表す広告データを記憶する広告データ記憶部であって、前記クーポンの提供者に関連する１以上の広告データの各々に関連付けて、当該クーポンに関連する付加情報を記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、
受信された前記クーポン情報によって特定されるクーポンに関連する付加情報を取得し、当該クーポン情報と関連付けられた前記１以上の広告データの中から、当該付加情報と関連付けられた広告データを、送信する対象として決定する広告データ決定部と
を備え、
前記広告データ送信部は、決定された前記広告データを、前記クライアント装置へ送信する
ことを特徴とするサーバ装置。
【請求項２】
ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、
受信された前記クーポン情報によって特定されるクーポンに関連する付加情報を取得し、当該付加情報に基づいて、前記広告データが表す広告の表示の態様を決定する表示態様決定部と
を備え、
前記広告データ送信部は、決定された前記表示の態様で広告を表示させるように、前記広告データを前記クライアント装置へ送信する
ことを特徴とするサーバ装置。
【請求項３】
前記付加情報は、前記クーポンの属性を示す情報を含む
ことを特徴とする請求項１又は請求項２に記載のサーバ装置。
【請求項４】
前記付加情報は、前記クーポンの提供者によりクーポンが発行された量、又は提供された量の情報を含む
ことを特徴とする請求項１から請求項３のいずれか１項に記載のサーバ装置。
【請求項５】
ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、
前記ユーザによる前記広告の利用状況、又は前記サービスの利用状況を特定する特定部と、
特定された前記広告の利用状況、又は前記サービスの利用状況を、前記ユーザに関する前記権限を表す権限情報と関連付けて記憶する権限情報記憶部と
を備え、
前記広告データ送信部は、
前記権限情報記憶部に記憶された前記広告の利用状況、又は前記サービスの利用状況に応じた前記広告データを、前記クライアント装置へ送信する
ことを特徴とするサーバ装置。
【請求項６】
第１のネットワークを介した通信を行うクライアント装置が前記第１のネットワークとは異なる第２のネットワークを介した通信サービスを利用するための権限と引き換えられるクーポンを特定するクーポン情報と関連付けて、当該クーポンの提供者に関連する広告を表す広告データを記憶する広告データ記憶部と、
前記クライアント装置から前記第１のネットワークを介して前記クーポン情報を受信するクーポン情報受信部と、
前記クーポン情報が受信されると、前記第２のネットワークを介した通信サービスにおけるアカウント情報を登録し、登録した前記アカウント情報を前記第１のネットワークを介して前記クライアント装置へ送信するアカウント情報送信部と、
前記クライアント装置から前記第２のネットワークを介して送信されてくる前記アカウント情報と、登録されているアカウント情報とが一致すると、前記クライアント装置に対して前記第２のネットワークを介した通信サービスを付与するサービス付与部と、
受信された前記クーポン情報と関連付けて前記広告データ記憶部に記憶された前記広告データを、前記第２のネットワークを介した通信サービスが前記クライアント装置において利用されるときに、前記クライアント装置へ送信する広告データ送信部と
を備えるサーバ装置。
【請求項７】
サーバ装置とクライアント装置とを備える情報処理システムであって、
前記サーバ装置は、
ユーザのクライアント装置が所定のサービスを利用するための権限と引き換えられるクーポンを特定するクーポン情報と関連付けて、当該クーポンの提供者に関連する広告を表す広告データを記憶する広告データ記憶部であって、前記クーポンの提供者に関連する１以上の広告データの各々に関連付けて、当該クーポンに関連する付加情報を記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、
受信された前記クーポン情報によって特定されるクーポンに関連する付加情報を取得し、当該クーポン情報と関連付けられた前記１以上の広告データの中から、当該付加情報と関連付けられた広告データを、送信する対象として決定する広告データ決定部とを備え、
前記広告データ送信部は、決定された前記広告データを、前記クライアント装置へ送信し、
前記クライアント装置は、
前記クーポン情報を前記サーバ装置へ送信するクーポン情報送信部と、
送信された前記クーポン情報と引き換えられた前記権限に従って前記サービスを利用するための制御を行うサービス利用制御部と、
前記サーバ装置から前記広告データを受信する広告データ受信部と、
前記サービスが利用されるときに、受信された前記広告データが表す広告を表示する広告表示部と
を有する情報処理システム。
【請求項８】
サーバ装置とクライアント装置とを備える情報処理システムであって、
前記サーバ装置は、
ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、
受信された前記クーポン情報によって特定されるクーポンに関連する付加情報を取得し、当該付加情報に基づいて、前記広告データが表す広告の表示の態様を決定する表示態様決定部とを備え、
前記広告データ送信部は、
決定された前記表示の態様で広告を表示させるように、前記広告データを前記クライアント装置へ送信し、
前記クライアント装置は、
前記クーポン情報を前記サーバ装置へ送信するクーポン情報送信部と、
送信された前記クーポン情報と引き換えられた前記権限に従って前記サービスを利用するための制御を行うサービス利用制御部と、
前記サーバ装置から前記広告データを受信する広告データ受信部と、
前記サービスが利用されるときに、受信された前記広告データが表す広告を表示する広告表示部と
を有する情報処理システム。
【請求項９】
サーバ装置とクライアント装置とを備える情報処理システムであって、
前記サーバ装置は、
ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、
前記クライアント装置から前記クーポン情報を受信するクーポン情報受信部と、
前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、
前記ユーザによる前記広告の利用状況、又は前記サービスの利用状況を特定する特定部と、
特定された前記広告の利用状況、又は前記サービスの利用状況を、前記ユーザに関する前記権限を表す権限情報と関連付けて記憶する権限情報記憶部とを備え、
前記広告データ送信部は、
前記権限情報記憶部に記憶された前記広告の利用状況、又は前記サービスの利用状況に応じた前記広告データを、前記クライアント装置へ送信し、
前記クライアント装置は、
前記クーポン情報を前記サーバ装置へ送信するクーポン情報送信部と、
送信された前記クーポン情報と引き換えられた前記権限に従って前記サービスを利用するための制御を行うサービス利用制御部と、
前記サーバ装置から前記広告データを受信する広告データ受信部と、
前記サービスが利用されるときに、受信された前記広告データが表す広告を表示する広告表示部と
を有する情報処理システム。
【請求項１０】
サーバ装置とクライアント装置とを備える情報処理システムであって、
前記サーバ装置は、
第１のネットワークを介した通信を行うクライアント装置が前記第１のネットワークとは異なる第２のネットワークを介した通信サービスを利用するための権限と引き換えられるクーポンを特定するクーポン情報と関連付けて、当該クーポンの提供者に関連する広告を表す広告データを記憶する広告データ記憶部と、
前記クライアント装置から前記第１のネットワークを介して前記クーポン情報を受信するクーポン情報受信部と、
前記クーポン情報が受信されると、前記第２のネットワークを介した通信サービスにおけるアカウント情報を登録し、登録した前記アカウント情報を前記第１のネットワークを介して前記クライアント装置へ送信するアカウント情報送信部と、
前記クライアント装置から前記第２のネットワークを介して送信されてくる前記アカウント情報と、登録されているアカウント情報とが一致すると、前記クライアント装置に対して前記第２のネットワークを介した通信サービスを付与するサービス付与部と、
受信された前記クーポン情報と関連付けて前記広告データ記憶部に記憶された前記広告データを、前記第２のネットワークを介した通信サービスが前記クライアント装置において利用されるときに、前記クライアント装置へ送信する広告データ送信部とを備え、
前記クライアント装置は、
前記クーポン情報を前記サーバ装置へ送信するクーポン情報送信部と、
送信された前記クーポン情報と引き換えられた前記権限に従って前記通信サービスを利用するための制御を行うサービス利用制御部と、
前記サーバ装置から前記広告データを受信する広告データ受信部と、
前記通信サービスが利用されるときに、受信された前記広告データが表す広告を表示する広告表示部と
を有する情報処理システム。
【手続補正３】
【補正対象書類名】明細書
【補正対象項目名】０００６
【補正方法】変更
【補正の内容】
【０００６】
上述した課題を解決するため、本発明のサーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部であって、前記クーポンの提供者に関連する１以上の広告データの各々に関連付けて、当該クーポンに関連する付加情報を記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、受信された前記クーポン情報によって特定されるクーポンに関連する付加情報を取得し、当該クーポン情報と関連付けられた前記１以上の広告データの中から、当該付加情報と関連付けられた広告データを、送信する対象として決定する広告データ決定部とを備え、前記広告データ送信部は、決定された前記広告データを、前記クライアント装置へ送信する。
【手続補正４】
【補正対象書類名】明細書
【補正対象項目名】０００７
【補正方法】変更
【補正の内容】
【０００７】
また、本発明のサーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、信された前記クーポン情報によって特定されるクーポンに関連する付加情報を取得し、当該付加情報に基づいて、前記広告データが表す広告の表示の態様を決定する表示態様決定部とを備え、前記広告データ送信部は、決定された前記表示の態様で広告を表示させるように、前記広告データを前記クライアント装置へ送信する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】変更
【補正の内容】
【００１１】
また、本発明のサーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、前記ユーザによる前記広告の利用状況、又は前記サービスの利用状況を特定する特定部と、特定された前記広告の利用状況、又は前記サービスの利用状況を、前記ユーザに関する前記権限を表す権限情報と関連付けて記憶する権限情報記憶部とを備え、前記広告データ送信部は、前記権限情報記憶部に記憶された前記広告の利用状況、又は前記サービスの利用状況に応じた前記広告データを、前記クライアント装置へ送信する。
また、本発明のサーバ装置は、第１のネットワークを介した通信を行うクライアント装置が前記第１のネットワークとは異なる第２のネットワークを介した通信サービスを利用するための権限と引き換えられるクーポンを特定するクーポン情報と関連付けて、当該クーポンの提供者に関連する広告を表す広告データを記憶する広告データ記憶部と、前記クライアント装置から前記第１のネットワークを介して前記クーポン情報を受信するクーポン情報受信部と、前記クーポン情報が受信されると、前記第２のネットワークを介した通信サービスにおけるアカウント情報を登録し、登録した前記アカウント情報を前記第１のネットワークを介して前記クライアント装置へ送信するアカウント情報送信部と、前記クライアント装置から前記第２のネットワークを介して送信されてくる前記アカウント情報と、登録されているアカウント情報とが一致すると、前記クライアント装置に対して前記第２のネットワークを介した通信サービスを付与するサービス付与部と、受信された前記クーポン情報と関連付けて前記広告データ記憶部に記憶された前記広告データを、前記第２のネットワークを介した通信サービスが前記クライアント装置において利用されるときに、前記クライアント装置へ送信する広告データ送信部とを備える。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
また、本発明の情報処理システムは、サーバ装置とクライアント装置とを備える情報処理システムであって、前記サーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部とを備え、前記広告データ記憶部は、前記クーポンの提供者に関連する１以上の広告データの各々に関連付けて、当該クーポンに関連する付加情報を記憶し、受信された前記クーポン情報によって特定されるクーポンに関連する付加情報を取得し、当該クーポン情報と関連付けられた前記１以上の広告データの中から、当該付加情報と関連付けられた広告データを、送信する対象として決定する広告データ決定部を備え、前記広告データ送信部は、決定された前記広告データを、前記クライアント装置へ送信し、前記クライアント装置は、前記クーポン情報を前記サーバ装置へ送信するクーポン情報送信部と、送信された前記クーポン情報と引き換えられた前記権限に従って前記サービスを利用するための制御を行うサービス利用制御部と、前記サーバ装置から前記広告データを受信する広告データ受信部と、前記サービスが利用されるときに、受信された前記広告データが表す広告を表示する広告表示部とを有する。
また、本発明の情報処理システムは、サーバ装置とクライアント装置とを備える情報処理システムであって、前記サーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、受信された前記クーポン情報によって特定されるクーポンに関連する付加情報を取得し、当該付加情報に基づいて、前記広告データが表す広告の表示の態様を決定する表示態様決定部とを備え、前記広告データ送信部は、決定された前記表示の態様で広告を表示させるように、前記広告データを前記クライアント装置へ送信し、前記クライアント装置は、前記クーポン情報を前記サーバ装置へ送信するクーポン情報送信部と、送信された前記クーポン情報と引き換えられた前記権限に従って前記サービスを利用するための制御を行うサービス利用制御部と、前記サーバ装置から前記広告データを受信する広告データ受信部と、前記サービスが利用されるときに、受信された前記広告データが表す広告を表示する広告表示部とを有する。
また、本発明の情報処理システムは、サーバ装置とクライアント装置とを備える情報処理システムであって、前記サーバ装置は、ユーザのクライアント装置が所定のサービスを利用するための権限と引き換えられるクーポンを特定するクーポン情報と関連付けて、当該クーポンの提供者に関連する広告を表す広告データを記憶する広告データ記憶部と、前記クライアント装置から前記クーポン情報を受信するクーポン情報受信部と、前記クーポン情報が受信されると、当該クーポン情報と関連付けて前記広告データ記憶部に記憶された前記広告データを、前記権限に従って前記サービスが利用されるときに、前記クライアント装置へ送信する広告データ送信部と、前記ユーザによる前記広告の利用状況、又は前記サービスの利用状況を特定する特定部と、特定された前記広告の利用状況、又は前記サービスの利用状況を、前記ユーザに関する前記権限を表す権限情報と関連付けて記憶する権限情報記憶部とを備え、前記広告データ送信部は、前記権限情報記憶部に記憶された前記広告の利用状況、又は前記サービスの利用状況に応じた前記広告データを、前記クライアント装置へ送信し、前記クライアント装置は、前記クーポン情報を前記サーバ装置へ送信するクーポン情報送信部と、送信された前記クーポン情報と引き換えられた前記権限に従って前記サービスを利用するための制御を行うサービス利用制御部と、前記サーバ装置から前記広告データを受信する広告データ受信部と、  前記サービスが利用されるときに、受信された前記広告データが表す広告を表示する広告表示部とを有する。
また、本発明の情報処理システムは、サーバ装置とクライアント装置とを備える情報処理システムであって、前記サーバ装置は、第１のネットワークを介した通信を行うクライアント装置が前記第１のネットワークとは異なる第２のネットワークを介した通信サービスを利用するための権限と引き換えられるクーポンを特定するクーポン情報と関連付けて、当該クーポンの提供者に関連する広告を表す広告データを記憶する広告データ記憶部と、前記クライアント装置から前記第１のネットワークを介して前記クーポン情報を受信するクーポン情報受信部と、前記クーポン情報が受信されると、前記第２のネットワークを介した通信サービスにおけるアカウント情報を登録し、登録した前記アカウント情報を前記第１のネットワークを介して前記クライアント装置へ送信するアカウント情報送信部と、前記クライアント装置から前記第２のネットワークを介して送信されてくる前記アカウント情報と、登録されているアカウント情報とが一致すると、前記クライアント装置に対して前記第２のネットワークを介した通信サービスを付与するサービス付与部と、受信された前記クーポン情報と関連付けて前記広告データ記憶部に記憶された前記広告データを、前記第２のネットワークを介した通信サービスが前記クライアント装置において利用されるときに、前記クライアント装置へ送信する広告データ送信部とを備え、  前記クライアント装置は、前記クーポン情報を前記サーバ装置へ送信するクーポン情報送信部と、送信された前記クーポン情報と引き換えられた前記権限に従って前記通信サービスを利用するための制御を行うサービス利用制御部と、前記サーバ装置から前記広告データを受信する広告データ受信部と、前記通信サービスが利用されるときに、受信された前記広告データが表す広告を表示する広告表示部とを有する。
【手続補正１０】
【補正対象書類名】明細書
【補正対象項目名】００１４
【補正方法】削除
【補正の内容】